(57)【要約】【課題】限られた資源においても、所望のスクロール条件を短時間に、かつ、簡単に設定することができるようにする。【解決手段】本発明に係る情報処理装置に適用可能なカメラ付ディジタル携帯電話機においては、液晶ディスプレイは表示画面を表示し、触覚センサは接触する物体を検出して検出信号を生成し、位置情報取得部５１は、生成された検出信号から、物体の位置情報を取得し、スクロール条件設定部５３は、取得された位置情報に基づいて、表示画面のスクロール条件を設定し、スクロール実行制御部５４は、設定されたスクロール条件に従い、表示画面のスクロールの実行を制御する。【選択図】  図５
2008046957.tif 000002
【特許請求の範囲】
【請求項１】
表示画面を表示する表示手段と、
接触する物体を検出して検出信号を生成する検出信号生成手段と、
前記検出信号生成手段により生成された検出信号から、前記物体の位置情報を取得する位置情報取得手段と、
前記位置情報取得手段により取得された前記位置情報に基づいて、前記表示画面のスクロール条件を設定するスクロール条件設定手段と、
前記スクロール条件設定手段により設定された前記スクロール条件に従い、前記表示画面のスクロールの実行を制御する制御手段を備えることを特徴とする情報処理装置。
【請求項２】
前記情報処理装置は、
前記位置情報取得手段により取得された前記位置情報に基づいて、前記検出信号生成手段に接触される前記物体の始点と終点を設定する位置設定手段をさらに備え、
前記スクロール条件設定手段は、
前記位置設定手段により設定された前記物体の始点と終点に関するデータに基づいて、前記表示画面のスクロール条件としてのスクロール方向を設定するスクロール方向設定手段とを備えることを特徴とする請求項１に記載の情報処理装置。
【請求項３】
前記スクロール条件設定手段は、
前記位置設定手段により設定された前記物体の始点と終点に関するデータに基づいて、前記物体の移動距離を算出する移動距離算出手段と、
前記移動距離算出手段により算出された移動距離算出結果に基づいて、前記表示画面のスクロール条件としてのスクロール速度を設定するスクロール速度設定手段とをさらに備えることを特徴とする請求項２に記載の情報処理装置。
【請求項４】
前記スクロール条件設定手段は、
前記位置設定手段により設定された前記物体の始点と終点に関するデータに基づいて、前記物体の移動距離を算出する移動距離算出手段と、
前記物体の移動時間を算出する移動時間算出手段と、
前記移動距離算出手段により算出された移動距離算出結果と、前記移動時間算出手段により算出された移動時間算出結果に基づいて、前記物体の移動速度を算出する移動速度算出手段と、
前記移動速度算出手段により算出された移動速度算出結果に基づいて、前記表示画面のスクロール条件としてのスクロール速度を設定するスクロール速度設定手段とをさらに備えることを特徴とする請求項２に記載の情報処理装置。
【請求項５】
前記スクロール条件設定手段は、
前記位置設定手段により設定された前記物体の始点と終点が、前記検出信号生成手段上の所定の領域であるか否かを判定する領域判定手段と、
前記領域判定手段により判定された領域判定結果に基づいて、前記表示画面のスクロール条件としてのスクロール速度を設定するスクロール速度設定手段とを備えることを特徴とする請求項２に記載の情報処理装置。
【請求項６】
前記情報処理装置は、
前記検出信号生成手段により生成された前記検出信号から、前記検出信号生成手段に接触される前記物体の圧力情報を取得する圧力情報取得手段をさらに備え、
前記スクロール条件設定手段は、
前記圧力情報取得手段により取得された前記圧力情報に基づいて、前記物体の前記検出信号生成手段に対する押圧を算出する押圧算出手段と、
前記押圧算出手段により算出された押圧算出結果に基づいて、前記表示画面のスクロール条件としてのスクロール速度を設定するスクロール速度設定手段とを備えることを特徴とする請求項１に記載の情報処理装置。
【請求項７】
前記スクロール条件設定手段は、
前記位置情報取得手段により取得された前記位置情報に基づいて、複数の前記検出信号生成手段のうち、前記物体が接触された前記検出信号生成手段がいずれかであるかを判定する判定手段と、
前記判定手段による判定結果に基づいて、前記表示画面のスクロール条件としてのスクロール速度を設定するスクロール速度設定手段とを備えることを特徴とする請求項１に記載の情報処理装置。
【請求項８】
前記スクロール条件設定手段により設定された前記スクロール条件を記憶する記憶手段をさらに備え、
前記制御手段は、前記表示画面のスクロールの実行を開始し、前記表示画面のスクロールの一時停止した後、前記検出信号生成手段により前記物体が検出された場合、前記記憶手段により記憶されている前記スクロール条件に従い、再び、前記表示画面のスクロールの実行を制御することを特徴とする請求項１に記載の情報処理装置。
【発明の詳細な説明】
【技術分野】
【０００１】
本発明は情報処理装置に係り、特に、表示画面をスクロールすることができるようにした情報処理装置に関する。
【背景技術】
【０００２】
近年、携帯電話機やＰＤＡ（Personal Digital Assistant）、パーソナルコンピュータなどの情報処理装置においては、例えばスクロールアロー（スクロールバーの両端に設けられた矢印部分）によって表示画面をスクロールする方法が知られている。
【０００３】
また、携帯電話機やＰＤＡなどの情報処理装置においては、いわゆる触覚センサ（圧力センサなどを高集積化することにより形成されるセンサ）と表示部を組み合わせて、ユーザが触覚センサ上において指やタブレット（あるいはスタイラスペン）などの物体を移動させることで、物体の移動に合わせてスクロールする方法も知られている（例えば、特許文献１乃至３参照）。
【０００４】
特許文献１に提案されている方法によれば、ＬＣＤパネルが表示部として機能するＬＣＤ表示パネルと、入力部として機能する透明タッチパネルとが重ね合わせるようにしたので、スタイラスペンをＬＣＤパネル上を滑らせる（すなわち、ドラックする）ことで、ＬＣＤパネルに表示されているメニュ画面（表示画面）がドラッグ速度に応じたスクロールすることができる。
【０００５】
また、特許文献２に提案されている方法によれば、パネルを表示素子の表面と所定の間隔を維持するように複数の圧力センサを介して支持し、パネルを操作したときに生じる複数の圧力センサのそれぞれにかかる圧力を検出し、それに基づいてパネル上の接触位置および加えられた圧力の大きさを算出し、表示素子上でスクロールを実行することができる。
【０００６】
さらに、特許文献３に提案されている方法によれば、１次元タッチセンサをディスプレイの縦横方向に配置し、各々の１次元タッチセンサ上を操作するユーザの指の位置の座標を計算し、その位置情報に基づいてディスプレイの画面のスクロール速度を決定する。これにより、ユーザの指の速度とスクロール速度を対応させて縦横方向のスクロールを行うことができる。
【特許文献１】特開２００３−３３０６１３号公報
【特許文献２】特開２００４−２８７６４０号公報
【特許文献３】特開２００２−３３３９５１号公報
【発明の開示】
【発明が解決しようとする課題】
【０００７】
しかしながら、特許文献１乃至３に提案されている方法では、触覚センサを用いて所望のスクロール速度とスクロール方向を決定し、そのスクロール速度とスクロール方向でスクロールすることができるが、携帯電話機においては触覚センサが占有することができるスペースは少ないため、所望のスクロールを行わせるためには、繰り返し同様の操作をしなければならず、このような操作はユーザにとって煩わしいという課題があった。
【０００８】
本発明は、このような状況に鑑みてなされてものであり、限られた資源においても、所望のスクロール条件を短時間に、かつ、簡単に設定することができる情報処理装置を提供することを目的とする。
【課題を解決するための手段】
【０００９】
本発明の情報処理装置は、上述した課題を解決するために、表示画面を表示する表示手段と、接触する物体を検出して検出信号を生成する検出信号生成手段と、検出信号生成手段により生成された検出信号から、物体の位置情報を取得する位置情報取得手段と、位置情報取得手段により取得された位置情報に基づいて、表示画面のスクロール条件を設定するスクロール条件設定手段と、スクロール条件設定手段により設定されたスクロール条件に従い、表示画面のスクロールの実行を制御する制御手段を備えることを特徴とする。
【００１０】
本発明の情報処理装置においては、表示画面が表示され、接触する物体が検出されて検出信号が生成され、生成された検出信号から、物体の位置情報が取得され、取得された位置情報に基づいて、表示画面のスクロール条件が設定され、設定されたスクロール条件に従い、表示画面のスクロールの実行が制御される。
【発明の効果】
【００１１】
本発明によれば、限られた資源においても、所望のスクロール条件を短時間に、かつ、簡単に設定することができる。
【発明を実施するための最良の形態】
【００１２】
以下、本発明の実施の形態について、図面を参照しながら説明する。
【００１３】
図１は、本発明に係る情報処理装置として適用可能なカメラ付ディジタル携帯電話機１の外観の構成を表している。なお、図１［Ａ］は、カメラ付ディジタル携帯電話機１を約１８０度に見開いたときの正面から見た外観の構成を表しており、図１［Ｂ］は、カメラ付ディジタル携帯電話機１を見開いたときの側面から見た外観の構成を表している。
【００１４】
図１［Ａ］および［Ｂ］に示されるように、カメラ付ディジタル携帯電話機１は、中央のヒンジ部１１を境に第１の筐体１２と第２の筐体１３とがヒンジ結合されており、ヒンジ部１１を介して矢印Ｘ方向に折り畳み可能に形成される。カメラ付ディジタル携帯電話機１の内部の所定の位置には、送受信用のアンテナ（後述する図３のアンテナ４４）が設けられており、内蔵されたアンテナを介して基地局（図示せず）との間で電波を送受信する。
【００１５】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１６】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００１７】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１８】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Yes」や「No」などの種々の機能をもつことが可能であるため、それぞれ、soft１キーおよびsoft２キーと呼ばれる。
【００１９】
また、第１の筐体１２には、操作キー１４の下部にマイクロフォン１５が設けられており、マイクロフォン１５によって通話時のユーザの音声を集音する。また、第１の筐体１２には、カメラ付ディジタル携帯電話機１の操作を行うサイドキー１６が設けられている。
【００２０】
なお、第１の筐体１２は、背面側に図示しないバッテリパックが挿着されており、終話・電源キーがオン状態になると、バッテリパックから各回路部に対して電力が供給されて動作可能な状態に起動する。
【００２１】
ところで、第１の筐体１２には、第１の筐体１２の下部の所定の位置に抜差自在なメモリカード（後述する図３のメモリカード４６）を挿着するためのメモリカードスロット（図示せず）が設けられており、メモボタン（図示せず）が押下されるとメモリカードに通話中の相手の音声を記録したり、ユーザの操作に応じて電子メール、簡易ホームページ、ＣＣＤカメラで撮像した画像を記録することができる。
【００２２】
ここで、メモリカードは、ＮＡＮＤ型フラッシュメモリカードやＮＯＲ型フラッシュメモリカードなどに代表されるフラッシュメモリカードの一種であり、小型薄型形状のプラスチックケース内に電気的に書換えや消去が可能な不揮発性メモリであるフラッシュメモリ素子を格納したものであり、１０ピン端子を介して画像や音声、音楽等の各種データの書き込み及び読み出しが可能となっている。
【００２３】
また、メモリカードは、大容量化等による内蔵フラッシュメモリの仕様変更に対しても、使用する機器で互換性を確保することができる独自のシリアルプロトコルを採用し、高速性能を実現しているとともに、誤消去防止スイッチを設けて高い信頼性を確保している。
【００２４】
従って、カメラ付ディジタル携帯電話機１は、このようなメモリカードを挿着可能に構成されているために、メモリカードを介して他の電子機器との間でデータの共有化を図ることができる。
【００２５】
また、所定の機能を拡張するためのモジュール（チップ）をメモリカードに組み込み、メモリカードスロット（図示せず）にそれを装着させることにより、カメラ付ディジタル携帯電話機１の機能をさらに拡張させることができる。
【００２６】
例えば、非接触ＩＣ（Integrated Circuit）チップが組み込まれたメモリカードをカメラ付ディジタル携帯電話機１に装着することにより、非接触ＩＣチップがカメラ付ディジタル携帯電話機１に内蔵されていない場合であっても、非接触ＩＣチップが内蔵された場合と同様の電子決済機能などを有するように機能を拡張させることもできる。
【００２７】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２１）で撮像した画像、外部のコンテンツサーバ（図示せず）より受信したコンテンツ、メモリカード（後述する図３のメモリカード４６）に記憶されているコンテンツを表示することができる。また、液晶ディスプレイ１７の上部の所定の位置にはスピーカ１８が設けられており、これにより、ユーザは音声通話することが可能である。
【００２８】
また、第１の筐体１２と第２の筐体１３の内部の所定の位置には、カメラ付ディジタル携帯電話機１の状態を検知するための磁気センサ１９a、１９b、１９c、および１９dが設けられる。
【００２９】
さらに、第１の筐体１２の所定の位置には、圧力センサなどを高集積化することにより形成されるセンサである触覚センサ２０が設けられる。これにより、触覚センサ２０上に接触した物体を逐次検出することができる。
【００３０】
図２は、本発明に係る情報処理装置として適用可能なカメラ付ディジタル携帯電話機１の他の外観の構成を表している。図２のカメラ付ディジタル携帯電話機１の状態は、図１のカメラ付ディジタル携帯電話機１の状態から矢印Ｘ方向に回動させた状態である。なお、図２［Ａ］は、カメラ付ディジタル携帯電話機１を閉じたときの正面から見た外観の構成を表しており、図２［Ｂ］は、カメラ付ディジタル携帯電話機１を閉じたときの側面から見た外観の構成を表している。
【００３１】
第２の筐体１３の上部には、ＣＣＤカメラ２１が設けられており、これにより、所望の撮影対象を撮像することができる。ＣＣＤカメラ２１の下部には、サブディスプレイ２２が設けられており、現在のアンテナの感度のレベルを示すアンテナピクト、カメラ付ディジタル携帯電話機１の現在の電池残量を示す電池ピクト、現在の時刻などが表示される。
【００３２】
サブディスプレイ２２の下部には、さらに、静電タッチパッド２３が設けられる。静電タッチパッド２３は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００３３】
図３は、本発明に係る情報処理装置として適用可能なカメラ付ディジタル携帯電話機１の内部の詳細な構成を表している。
【００３４】
図３に示されるように、カメラ付ディジタル携帯電話機１は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、記憶部４７、および音楽制御部４８がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００３５】
電源回路部３２は、ユーザの操作により終話・電源キーがオン状態にされると、バッテリパックから各部に対して電力を供給することによりカメラ付ディジタル携帯電話機１を動作可能な状態に起動する。
【００３６】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することによりカメラ付ディジタル携帯電話機１を統括的に制御する。ＲＡＭは、ＣＰＵが各種の処理を実行する上において必要なデータなどを適宜記憶する。
【００３７】
なお、主制御部３１には、現在の日付と時刻を計測するタイマが内蔵されている。
【００３８】
ここで、ＣＰＵが実行する種々のアプリケーションプログラムは、ＲＯＭや記憶部４７に予めインストールしておくことができる。また、ＣＰＵが実行する種々のアプリケーションプログラムは、図示せぬ基地局を介して通信によってカメラ付ディジタル携帯電話機１にダウンロードすることにより、記憶部４７にインストールすることができる。さらに、ＣＰＵが実行する種々のアプリケーションプログラムは、メモリカード４６に記録しておき、記録再生部４５によって読み出して、記憶部４７にインストールすることも可能である。
【００３９】
カメラ付ディジタル携帯電話機１は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００４０】
また、カメラ付ディジタル携帯電話機１は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００４１】
さらに、カメラ付ディジタル携帯電話機１は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局（図示せず）へ送信する。
【００４２】
これに対してカメラ付ディジタル携帯電話機１は、データ通信モード時に電子メールを受信する場合、アンテナ４４を介して基地局（図示せず）から受信した受信信号を変復調回路部３９でスペクトラム逆拡散処理して元のテキストデータを復元した後、ＬＣＤ制御部３６を介して液晶ディスプレイ１７に電子メールとして表示する。
【００４３】
その後カメラ付ディジタル携帯電話機１は、ユーザの操作に応じて受信した電子メールを記録再生部４５を介してメモリカード４６に記録することも可能である。
【００４４】
カメラ付ディジタル携帯電話機１は、画像信号を送信しない場合には、ＣＣＤカメラ２１で撮像した画像信号をカメラインタフェース部３５及びＬＣＤ制御部３６を介して液晶ディスプレイ１７に直接表示する。
【００４５】
カメラ付ディジタル携帯電話機１は、データ通信モード時に画像信号を送信する場合、ＣＣＤカメラ２１で撮像された画像信号をカメラインタフェース部３５を介して画像エンコーダ３４に供給する。
【００４６】
画像エンコーダ３４は、ＣＣＤカメラ２１から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時にカメラ付ディジタル携帯電話機１は、ＣＣＤカメラ２１で撮像中にマイクロフォン１５で集音した音声を音声コーデック４０を介してディジタルの音声信号として多重分離部３８に送出する。
【００４７】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００４８】
これに対して、カメラ付ディジタル携帯電話機１では、データ通信モード時に、Ｗｅｂページのデータを受信することができる。
【００４９】
すなわち、カメラ付ディジタル携帯電話機１において、データ通信モードに、例えばＷｅｂページを要求するデータを送信すると、その要求に応じて、Ｗｅｂページのデータが基地局（図示せず）を介して送信される。このＷｅｂページのデータは、アンテナ４４を介して送受信回路部４３および変復調回路部３９で受信される。送受信回路部４３および変復調回路部３９は、受信したＷｅｂページのデータを主制御部３１に送出する。
【００５０】
主制御部３１は、Ｗｅｂページのデータを解釈し、その解釈に基づく画面（画像）を作成する。作成された画面は、主制御部３１からＬＣＤ制御部３６を介して液晶ディスプレイ１７に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００５１】
また、カメラ付ディジタル携帯電話機１は、データ通信モード時に例えばＷｅｂページなどにリンクされた動画像ファイルのデータを受信する場合、アンテナ５４を介して基地局（図示せず）から受信した受信信号を変復調回路部３９でスペクトラム逆拡散処理し、その結果得られる多重化信号を多重分離部３８に送出する。
【００５２】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００５３】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。この場合も電子メールの場合と同様にカメラ付ディジタル携帯電話機１は、受信したＷｅｂページなどにリンクされたデータをユーザの操作により記録再生部４５を介してメモリカード４６に記録することが可能である。
【００５４】
記憶部４７は、例えば、電気的に書換えや消去が可能な不揮発性メモリであるフラッシュメモリ素子などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００５５】
音楽制御部４８は、記憶部４７に記憶されているオーディオデータの再生動作および一時停止動作や、巻戻し機能、早送り機能、音量ダウン動作、音量アップ動作などの実行を制御する。
【００５６】
触覚センサ２０は、触覚センサ２０上に接触した物体（例えば、ユーザの指やタブレットなど）を逐次検出して検出信号を生成し、生成された検出信号を主制御部３１にメインバス４１を介して供給する。この検出信号には、物体（例えば、ユーザの指やタブレットなど）の触覚センサ２０上における位置情報（Ｘ軸方向とＹ軸方向の座標情報）と、その位置における圧力情報が含まれる。
【００５７】
［第１実施形態］
次に、図４を参照して、本発明に係る情報処理装置に適用可能なカメラ付ディジタル携帯電話機１の第１実施形態におけるスクロール制御方法の概念について説明する。
【００５８】
図４に示されるように、ユーザにより、カメラ付ディジタル携帯電話機１の所定の位置に設けられた触覚センサ２０上の始点Ｐ１に例えば指などが接触され、触覚センサ２０上の終点Ｐｎまで移動された（動かされた）後に触覚センサ２０から離された場合、移動距離が大きいことから、スクロールの速度は速めのスクロール速度Ａに設定され、設定されたスクロール速度Ａで表示画面のスクロールが実行される。
【００５９】
一方、カメラ付ディジタル携帯電話機１の所定の位置に設けられた触覚センサ２０上の始点Ｑ１に例えば指などが接触され、触覚センサ２０上の終点Ｑｎまで移動された（動かされた）後に触覚センサ２０から離された場合、移動距離が小さいことから、スクロールの速度は遅めのスクロール速度Ｂに設定され、設定されたスクロール速度Ｂで表示画面のスクロールが実行される。
【００６０】
これにより、例えばユーザにより触覚センサ２０上が指で一度撫でられるだけで、表示画面のスクロール条件を設定し、設定されたスクロール条件で表示画面のスクロールを実行することができる。
【００６１】
なお、スクロール速度として例えば速めのスクロール速度Ａと遅めのスクロール速度Ｂの２つを設定するようにしているが、この場合に用いられる「速め」と「遅め」とは、スクロール速度Ａが相対的にスクロール速度Ｂよりも速いことを意味するものである。
【００６２】
図５は、本発明に係る情報処理装置に適用可能なカメラ付ディジタル携帯電話機１の第１実施形態が実行することができる機能的な構成を表している。
【００６３】
位置情報取得部５１は、例えば図３の主制御部３１などにより実現され、触覚センサ２０から供給された検出信号から、触覚センサ２０上に接触された図示せぬ物体（例えば、ユーザの指やタブレットなど）の位置情報を逐次取得し、取得された位置情報を始点・終点設定部５２に供給する。
【００６４】
始点・終点設定部５２は、例えば図３の主制御部３１などにより実現され、位置情報取得部５１から供給された位置情報を取得し、取得された位置情報に基づいて始点と終点を設定し、設定された始点設定データと終点設定データをスクロール条件設定部５３のスクロール方向設定部５５に供給する。
【００６５】
スクロール条件設定部５３は、例えば図３の主制御部３１などにより実現され、スクロール方向を設定するスクロール方向設定部５５、図示せぬ物体の移動距離を算出する移動距離算出部５６、およびスクロール速度を設定するスクロール速度設定部５７により構成される。
【００６６】
スクロール方向設定部５５は、例えば図３の主制御部３１などにより実現され、始点・終点設定部５２から供給された始点設定データと終点設定データに基づいて、設定された終点の位置が設定された始点の位置よりも上方にあるか否かを判定し、設定された終点の位置が設定された始点の位置よりも上方にあると判定された場合、図示せぬ物体は上方に移動したと認識し、スクロール方向を上方に設定する。一方、設定された終点の位置が設定された始点の位置よりも下方にあると判定された場合、図示せぬ物体は下方に移動したと認識し、スクロール方向を下方に設定する。
【００６７】
スクロール方向設定部５５は、設定されたスクロール方向に関する設定であるスクロール方向設定データをスクロール実行制御部５４に供給する。
【００６８】
移動距離算出部５６は、例えば図３の主制御部３１などにより実現され、始点・終点設定部５２から供給された始点設定データと終点設定データを取得し、取得された始点設定データと終点設定データに基づいて、図示せぬ物体が触覚センサ２０上において移動した距離を算出する。すなわち、移動距離算出部５６は、取得された始点設定データに含まれる始点に関する位置情報（Ｘ軸方向とＹ軸方向の座標情報）および終点設定データに含まれる終点に関する位置情報（Ｘ軸方向とＹ軸方向の座標情報）に基づいて、図示せぬ物体が触覚センサ２０上において移動した距離を算出し、算出された移動距離算出結果をスクロール速度設定部５７に供給する。
【００６９】
スクロール速度設定部５７は、例えば図３の主制御部３１などにより実現され、移動距離算出部５６から供給された移動距離算出結果を取得し、取得された移動距離算出結果が予め設定された所定の基準値よりも大きいか否かを判定する。取得された移動距離算出結果が予め設定された所定の基準値よりも大きいと判定された場合、スクロール速度設定部５７は、スクロール速度を速めのスクロール速度Ａに設定する。一方、取得された移動距離算出結果が予め設定された所定の基準値よりも小さいと判定された場合、スクロール速度設定部５７は、スクロール速度を遅めのスクロール速度Ｂに設定する。
【００７０】
スクロール速度設定部５７は、設定されたスクロール速度に関するデータであるスクロール速度設定データをスクロール実行制御部５４に供給する。
【００７１】
スクロール実行制御部５４は、例えば図３の主制御部３１などにより実現され、スクロール方向設定部５５から供給されたスクロール方向設定データを取得するとともに、スクロール速度設定部５７から供給されたスクロール速度設定データを取得し、取得されたスクロール方向設定データおよびスクロール速度設定データに基づいて表示画面のスクロールの実行を制御し、ＬＣＤ制御部３６に、設定されたスクロール方向とスクロール速度で液晶ディスプレイ１７に表示される表示画面のスクロールを実行させる。
【００７２】
図６のフローチャートを参照して、図５のカメラ付ディジタル携帯電話機１におけるスクロール制御処理について説明する。このスクロール制御処理は、ユーザにより、カメラ付ディジタル携帯電話機１の所定の位置に設けられた触覚センサ２０上のいずれかの場所に例えばユーザの指などが接触されることで開始される。
【００７３】
ステップＳ１において、触覚センサ２０は、触覚センサ２０上に接触した物体を逐次検出して検出信号を生成し、生成された検出信号を位置情報取得部５１に供給する。この検出信号には、物体（例えば、ユーザの指やタブレットなど）の触覚センサ２０上における位置情報（例えば図７に示されるようなＸ軸方向とＹ軸方向の座標情報）と、その位置における圧力情報が含まれる。
【００７４】
ステップＳ２において、位置情報取得部５１は、触覚センサ２０から供給された検出信号から、触覚センサ２０上に接触された図示せぬ物体の位置情報を逐次取得し、取得された位置情報を始点・終点設定部５２に供給する。
【００７５】
ステップＳ３において、始点・終点設定部５２は、位置情報取得部５１から供給された位置情報を取得するとともに、触覚センサ２０上の図示せぬ物体の始点がすでに設定されているか否かを判定する。
【００７６】
ステップＳ３において触覚センサ２０上の図示せぬ物体の始点がまだ設定されていないと判定された場合、始点・終点設定部５２はステップＳ４で、取得された図示せぬ物体の位置情報に基づいて、触覚センサ２０上の図示せぬ物体の始点（例えば、図７における始点Ｐ１）を設定し、設定された図示せぬ物体の始点に関するデータである始点設定データをスクロール条件設定部５３のスクロール方向設定部５５と移動距離算出部５６に供給する。この始点設定データには、始点であることを示すデータ（例えば図７の例の場合、Ｐ１が始点であることを示すデータ）と、始点に設定された位置の位置情報（Ｘ軸方向とＹ軸方向の座標情報；図７の例の場合、（Ｘ１，Ｙ１））が含まれる。
【００７７】
その後、処理はステップＳ１に戻り、ステップＳ１以降の処理が繰り返される。
【００７８】
次に、ユーザは、カメラ付ディジタル携帯電話機１の所定の位置に設けられた触覚センサ２０上のいずれかの場所に接触された指やタブレットなどを触覚センサ２０上において所望の方向などに動かす。これにより、ステップＳ５以降の処理が実行され、ステップＳ６において終点設定処理が行われる。
【００７９】
ステップＳ３において触覚センサ２０上の図示せぬ物体の始点がすでに設定されていると判定された場合、始点・終点設定部５２はステップＳ５で、取得された図示せぬ物体の位置情報に基づいて、図示せぬ物体が直前に検出された位置と異なる位置で検出されたか否かを判定する。例えば図７の例の場合、図示せぬ物体（例えば、ユーザの指やタブレットなど）の直前の位置がＰ４であるとき、図示せぬ物体がＰ５の位置で検出されると、図示せぬ物体が直前に検出された位置と異なる位置で検出されたと判定される。
【００８０】
ステップＳ５において図示せぬ物体が直前に検出された位置と異なる位置で検出されたと判定された場合、処理はステップＳ１に戻り、ステップＳ１以降の処理が繰り返される。これにより、図示せぬ物体（例えば、ユーザの指やタブレットなど）が直前に検出された位置と異なる位置で検出されなくなるまで、物体の位置情報を逐次検出することができる。
【００８１】
ステップＳ５において図示せぬ物体が直前に検出された位置と異なる位置で検出されていないと判定された場合（すなわち、図示せぬ物体が直前に検出された位置と同じ位置で再度検出されたと判定された場合）、始点・終点設定部５２はステップＳ６で、図示せぬ物体が最後に検出された位置情報をもつ位置（例えば、図７における終点Ｐｎ）に終点を設定し、設定された終点に関するデータである終点設定データをスクロール条件設定部５３のスクロール方向設定部５５と移動距離算出部５６に供給する。この終点設定データには、終点であることを示すデータ（例えば図７の例の場合、Ｐ１が終点であることを示すデータ）と、終点に設定された位置の位置情報（Ｘ軸方向とＹ軸方向の座標情報；図７の例の場合、（Ｘｎ，Ｙｎ））が含まれる。
【００８２】
ステップＳ７において、スクロール方向設定部５５は、始点・終点設定部５２から供給された始点設定データを取得するとともに、始点・終点設定部５２から供給された終点設定データを取得し、取得された始点設定データおよび終点設定データに基づいて、図示せぬ物体の終点の位置が始点の位置よりも上方にあるか否かを判定する。すなわち、終点に設定された位置のＹ軸方向の座標が、始点に設定された位置のＹ軸方向の座標よりも大きいか否かを判定する。図７の例の場合、終点Ｐｎに設定された位置のＹ軸方向の座標Ｙｎは、始点Ｐ１に設定された位置のＹ軸方向の座標Ｙ１よりも大きいことから、図示せぬ物体の終点Ｐｎの位置が始点Ｐ１の位置よりも上方にあると判定される。
【００８３】
ステップＳ７において図示せぬ物体の終点の位置が始点の位置よりも上方にあると判定された場合、スクロール方向設定部５５はステップＳ８で、図示せぬ物体は上方に移動したと認識する。ステップＳ９において、スクロール方向設定部５５は、表示画面のスクロールを実行する際のスクロール方向を上方に設定し、設定されたスクロール方向に関する設定であるスクロール方向設定データ（スクロール方向が上方に設定されたスクロール方向設定データ）をスクロール実行制御部５４に供給する。
【００８４】
一方、ステップＳ７において図示せぬ物体の終点の位置が始点の位置よりも下方にあると判定された場合、スクロール方向設定部５５はステップＳ１０で、図示せぬ物体は下方に移動したと認識する。ステップＳ１１において、スクロール方向設定部５５は、表示画面のスクロールを実行する際のスクロール方向を下方に設定し、設定されたスクロール方向に関する設定であるスクロール方向設定データ（スクロール方向が下方に設定されたスクロール方向設定データ）をスクロール実行制御部５４に供給する。
【００８５】
ステップＳ１２において、移動距離算出部５６は、始点・終点設定部５２から供給された始点設定データを取得するとともに、始点・終点設定部５２から供給された終点設定データを取得し、取得された始点設定データおよび終点設定データに基づいて、図示せぬ物体の移動した距離である移動距離を算出する。具体的には、図７の例の場合、始点Ｐ１（Ｘ１，Ｙ１）と終点Ｐｎ（Ｘｎ，Ｙｎ）の間の距離を算出する。
【００８６】
移動距離算出部５６は、算出された移動距離算出結果をスクロール速度設定部５７に供給する。
【００８７】
ステップＳ１３において、スクロール速度設定部５７は、移動距離算出部５６から供給された移動距離算出結果を取得し、取得された移動距離算出結果に基づいて、図示せぬ物体の触覚センサ２０上における移動距離が予め設定された所定の基準値よりも大きいか否かを判定する。
【００８８】
ステップＳ１３において図示せぬ物体の触覚センサ２０上における移動距離が予め設定された所定の基準値よりも大きいと判定された場合、スクロール速度設定部５７はステップＳ１４で、スクロール速度を速めのスクロール速度Ａに設定し、設定されたスクロール速度に関するデータであるスクロール速度設定データ（スクロール速度が速めのスクロール速度Ａに設定されたスクロール速度設定データ）をスクロール実行制御部５４に供給する。
【００８９】
一方、ステップＳ１３において図示せぬ物体の触覚センサ２０上における移動距離が予め設定された所定の基準値よりも小さいと判定された場合、スクロール速度設定部５７はステップＳ１５で、スクロール速度を遅めのスクロール速度Ｂに設定し、設定されたスクロール速度に関するデータであるスクロール速度設定データ（スクロール速度が遅めのスクロール速度Ｂに設定されたスクロール速度設定データ）をスクロール実行制御部５４に供給する。
【００９０】
ステップＳ１６において、スクロール実行制御部５４は、スクロール方向設定部５５から供給されたスクロール方向設定データ（スクロール方向が上方または下方に設定されたスクロール方向設定データ）を取得するとともに、スクロール速度設定部５７から供給されたスクロール速度設定データ（スクロール速度が速めのスクロール速度Ａまたは遅めのスクロール速度Ｂに設定されたスクロール速度設定データ）を取得し、ＬＣＤ制御部３６を制御し、取得されたスクロール方向設定データおよびスクロール速度設定データに基づいて表示画面のスクロールの実行を制御し、ＬＣＤ制御部３６に、設定されたスクロール方向とスクロール速度で液晶ディスプレイ１７に表示される表示画面のスクロールを実行させる。
【００９１】
すなわち、例えばスクロール方向が上方に設定され、かつ、スクロール速度が速めのスクロール速度に設定された場合、上方かつ速めのスクロール速度Ａで液晶ディスプレイ１７に表示される表示画面のスクロールが実行される。
【００９２】
本発明の第１実施形態においては、カメラ付ディジタル携帯電話機１の所定の位置に設けられた触覚センサ２０によって図示せぬ物体（例えば、ユーザの指やタブレットなど）が逐次検出されることで始点と終点が設定され、設定された始点設定データと終点設定データに基づいてスクロール方向とスクロール速度を設定するようにしたので、限られた資源においても、所望のスクロール条件を短時間に、かつ、簡単に設定することができる。これにより、ユーザの好みに合わせて、表示画面を好適にスクロールすることができる。従って、カメラ付ディジタル携帯電話機の操作性を向上させることができる。
【００９３】
なお、本発明の第１実施形態においては、スクロール方向を上下方向に設定するようにしたが、このような場合に限られず、上下左右や斜め下方向など任意の方向に設定するようにしてもよい。
【００９４】
また、スクロール実行制御部５４により実行が制御されるスクロールは、図示せぬ物体が触覚センサ２０から離れるまで行われるようにしてもよいし、一旦、所定のスクロール条件でスクロールの実行を開始すると、図示せぬ物体が触覚センサ２０を離れても停止することなく行うようにしてもよい。この場合、さらに、触覚センサ２０に再度図示せぬ物体が接触されると、スクロールを停止するようにしてもよい。
【００９５】
また、本発明の第１実施形態においては、移動距離に応じて、速めのスクロール速度と遅めのスクロール速度の２つのいずれかに設定するようにしたが、このような場合に限られず、例えば移動距離に応じて設定されるスクロール速度を高精細に予め区分し、移動距離に応じて５段階のスクロール速度Ａ、Ｂ、Ｃ、Ｄ、およびＥ（スクロール速度Ａが最も速く、スクロール速度Ｅが最も遅い）に設定するようにしてもよい。これにより、ユーザの好みに合わせて、表示画面をより好適にスクロールすることができる。
【００９６】
ところで、本発明の第１実施形態においては、設定された始点と終点との距離（図示せぬ物体の移動距離）を算出し、算出された移動距離算出結果に基づいてスクロール速度を設定するようにしたが、始点と終点との間における図示せぬ物体の平均移動速度を算出し、算出された始点・終点間における移動速度に応じてスクロール速度を設定するようにしてもよい。これにより、ユーザは、スクロール制御処理において設定されるスクロール速度を直感的にイメージすることが可能となる。以下、本発明の第２実施形態について説明する。
【００９７】
［第２実施形態］
図８を参照して、本発明に係る情報処理装置に適用可能なカメラ付ディジタル携帯電話機１の第２実施形態におけるスクロール制御方法の概念について説明する。
【００９８】
図８に示されるように、ユーザにより、カメラ付ディジタル携帯電話機１の所定の位置に設けられた触覚センサ２０上の始点Ｐ１に例えば指などが接触され、触覚センサ２０上の終点Ｐｎまで速度Ｖｐで移動された後に触覚センサ２０から離された場合、ユーザの指などの移動の速度が大きい（速い）ことから、スクロールの速度は速めのスクロール速度Ａに設定され、設定されたスクロール速度Ａで表示画面のスクロールが実行される。
【００９９】
一方、カメラ付ディジタル携帯電話機１の所定の位置に設けられた触覚センサ２０上の始点Ｑ１に例えば指などが接触され、触覚センサ２０上の終点Ｑｎまで速度ＶＱで移動された後に触覚センサ２０から離された場合、ユーザの指などの移動の速度が小さい（遅い）ことから、スクロールの速度は遅めのスクロール速度Ｂに設定され、設定されたスクロール速度Ｂで表示画面のスクロールが実行される。
【０１００】
これにより、例えばユーザにより触覚センサ２０上が指で一度撫でられるだけで、図示せぬ物体の触覚センサ２０上における移動速度に応じて表示画面のスクロール速度を設定し、設定されたスクロール速度で表示画面のスクロールを実行することができる。従って、設定するスクロール速度をユーザに直感的にイメージさせつつ、ユーザの所望のスクロール条件でスクロールを実行することができる。
【０１０１】
図９は、本発明に係る情報処理装置に適用可能なカメラ付ディジタル携帯電話機１の第２実施形態が実行することができる機能的な構成を表している。なお、図５の構成に対応するものについては同一の符号を付しており、その説明は繰り返しになるので省略する。
【０１０２】
始点・終点設定部５２は、位置情報取得部５１から供給された位置情報を取得し、取得された位置情報に基づいて始点と終点を設定し、設定された始点設定データと終点設定データをスクロール条件設定部５３のスクロール方向設定部５５に供給する。また、始点・終点設定部５２は、取得された位置情報に基づいて始点を設定した後、直ちに、タイマ５８のカウントの開始を指示するタイマ開始指示信号を生成し、生成されたタイマ開始指示信号をタイマ５８に供給する。一方、始点・終点設定部５２は、取得された位置情報に基づいて終点を設定した後、直ちに、タイマ５８のカウントの終了を指示するタイマ終了指示信号を生成し、生成されたタイマ終了指示信号をタイマ５８に供給する。
【０１０３】
スクロール条件設定部５３は、スクロール方向を設定するスクロール方向設定部５５、図示せぬ物体の移動距離を算出する移動距離算出部５６、スクロール速度を設定するスクロール速度設定部５７、図示せぬ物体が触覚センサ２０上で移動する際に要した時間である移動時間を算出する移動時間算出部５９、および、図示せぬ物体が触覚センサ２上において移動する平均速度である平均移動速度を算出する平均移動速度算出部６０により構成される。
【０１０４】
タイマ５８は、例えば図３の主制御部４１に内蔵されるタイマなどからなり、始点・終点設定部５２から供給されたタイマ開始指示信号に基づいて、タイマ５８のカウントを開始するとともに、始点・終点設定部５２から供給されたタイマ終了指示信号に基づいて、タイマ５８のカウントを終了する。
【０１０５】
また、タイマ５８は、タイマ５８の開始時刻に関するデータと、タイマ５８の終了時刻に関するデータを移動時間算出部５９に供給する。
【０１０６】
移動時間算出部５９は、例えば図３の主制御部３１などにより実現され、タイマ５８から供給されたタイマ開始時刻に関するデータおよびタイマ終了時刻に関するデータを取得し、取得されたタイマ開始時刻に関するデータおよびタイマ終了時刻に関するデータに基づいて、図示せぬ物体が触覚センサ２０上で移動する際に要した時間である移動時間を算出し、算出された移動時間算出結果を平均移動速度算出部６０に供給する。
【０１０７】
平均移動速度算出部６０は、例えば図３の主制御部３１などにより実現され、移動距離算出部５６から供給された移動距離算出結果を取得するとともに、移動時間算出部５９から供給された移動時間算出結果を取得し、取得された移動距離算出結果および移動時間算出結果に基づいて、図示せぬ物体が触覚センサ２上において移動する平均移動速度を算出し、算出された平均移動速度算出結果をスクロール速度設定部５７に供給する。
【０１０８】
スクロール速度設定部５７は、平均移動速度算出部６０から供給された平均移動速度算出結果を取得し、取得された平均移動速度算出結果が予め設定された所定の基準値よりも大きいか否かを判定する。取得された平均移動速度算出結果が予め設定された所定の基準値よりも大きいと判定された場合、スクロール速度設定部５７は、スクロール速度を速めのスクロール速度Ａに設定する。一方、取得された平均移動速度算出結果が予め設定された所定の基準値よりも小さいと判定された場合、スクロール速度設定部５７は、スクロール速度を遅めのスクロール速度Ｂに設定する。
【０１０９】
次に、図１０のフローチャートを参照して、図９のカメラ付ディジタル携帯電話機１におけるスクロール制御処理について説明する。なお、図１０のステップＳ２１乃至Ｓ２４、ステップＳ２７乃至Ｓ２８、ステップＳ３１乃至Ｓ３６、およびステップＳ４２の処理につついては、図６のステップＳ１乃至Ｓ１２、およびステップＳ１６の処理と同様であり、その説明は繰り返しになるので省略する。
【０１１０】
ステップＳ２５において、始点・終点設定部５２は、取得された位置情報に基づいて始点を設定した後、直ちに、タイマ５８のカウントの開始を指示するタイマ開始指示信号を生成し、生成されたタイマ開始指示信号をタイマ５８に供給する。
【０１１１】
ステップＳ２６において、タイマ５８は、始点・終点設定部５２から供給されたタイマ開始指示信号に基づいて、タイマ５８のカウントを開始する。図１１の例の場合、始点Ｐ１において図示せぬ物体（例えば、ユーザの指やタブレットなど）が検出され、検出された位置情報に基づいて始点Ｐ１に設定されると、直ちにタイマ５８のカウントが開始される。
【０１１２】
タイマ５８は、タイマ５８は、タイマ開始時刻に関するデータを移動時間算出部５９に供給する。
【０１１３】
その後、処理はステップＳ２１に進み、ステップＳ２１以降の処理が繰り返される。
【０１１４】
ステップＳ２９において、始点・終点設定部５２は、取得された位置情報に基づいて終点を設定した後、直ちに、タイマ５８のカウントの終了を指示するタイマ終了指示信号を生成し、生成されたタイマ終了指示信号をタイマ５８に供給する。
【０１１５】
ステップＳ３０において、タイマ５８は、始点・終点設定部５２から供給されたタイマ終了指示信号に基づいて、タイマ５８のカウントを終了する。図１１の例の場合、終点Ｐｎにおいて図示せぬ物体（例えば、ユーザの指やタブレットなど）が一定時間以上検出され、検出された位置情報に基づいて終点Ｐｎに設定されると、タイマ５８のカウントが終了される。
【０１１６】
タイマ５８は、タイマ５８は、タイマ終了時刻に関するデータを移動時間算出部５９に供給する。
【０１１７】
ステップＳ３７において、移動時間算出部５９は、タイマ５８から供給されたタイマ開始時刻に関するデータおよびタイマ終了時刻に関するデータを取得し、取得されたタイマ開始時刻に関するデータおよびタイマ終了時刻に関するデータに基づいて、図示せぬ物体が触覚センサ２０上で移動する際に要した時間である移動時間を算出する。図１１の例の場合、図示せぬ物体が触覚センサ２０上で始点Ｐ１から終点Ｐｎまで移動する際に要した時間である移動時間が算出される。
【０１１８】
移動時間算出部５９は、算出された移動時間算出結果を平均移動速度算出部６０に供給する。
【０１１９】
ステップＳ３８において、平均移動速度算出部６０は、移動距離算出部５６から供給された移動距離算出結果を取得するとともに、移動時間算出部５９から供給された移動時間算出結果を取得し、取得された移動距離算出結果および移動時間算出結果に基づいて、図示せぬ物体が触覚センサ２上において移動する平均移動速度を算出する。図１１の例の場合、図示せぬ物体が触覚センサ２０上で始点Ｐ１から終点Ｐｎまで移動する平均速度である平均移動速度Ｖｐが算出される。
【０１２０】
平均移動速度算出部６０は、算出された平均移動速度算出結果をスクロール速度設定部５７に供給する。
【０１２１】
ステップＳ３９において、スクロール速度設定部５７は、平均移動速度算出部６０から供給された平均移動速度算出結果を取得し、取得された平均移動速度算出結果が予め設定された所定の基準値よりも大きいか否かを判定する。
【０１２２】
ステップＳ３９において取得された平均移動速度算出結果が予め設定された所定の基準値よりも大きいと判定された場合、スクロール速度設定部５７はステップＳ４０で、スクロール速度を速めのスクロール速度Ａに設定し、設定されたスクロール速度に関するデータであるスクロール速度設定データ（スクロール速度が速めのスクロール速度Ａに設定されたスクロール速度設定データ）をスクロール実行制御部５４に供給する。
【０１２３】
一方、ステップＳ３９において取得された平均移動速度算出結果が予め設定された所定の基準値よりも小さいと判定された場合、スクロール速度設定部５７はステップＳ４１で、スクロール速度を遅めのスクロール速度Ｂに設定し、設定されたスクロール速度に関するデータであるスクロール速度設定データ（スクロール速度が遅めのスクロール速度Ｂに設定されたスクロール速度設定データ）をスクロール実行制御部５４に供給する。
【０１２４】
その後、処理はステップＳ４２に進み、ステップＳ４２においてスクロール実行制御処理が行われる。すなわち、例えばスクロール方向が上方に設定され、かつ、スクロール速度が速めのスクロール速度に設定された場合、上方かつ速めのスクロール速度Ａで液晶ディスプレイ１７に表示される表示画面のスクロールが実行される。
【０１２５】
本発明の第２実施形態においては、カメラ付ディジタル携帯電話機１の所定の位置に設けられた触覚センサ２０によって図示せぬ物体が逐次検出されることで始点と終点が設定され、設定された始点設定データと終点設定データに基づいてスクロール方向を設定し、設定された始点と終点との間における図示せぬ物体の平均移動速度に基づいてスクロール速度を設定するようにしたので、設定するスクロール速度をユーザに直感的にイメージさせつつ、限られた資源においても、所望のスクロール条件を短時間に、かつ、簡単に設定することができる。これにより、ユーザの好みに合わせて、表示画面をより好適にスクロールすることができる。従って、カメラ付ディジタル携帯電話機の操作性をより向上させることができる。
【０１２６】
なお、本発明の第２実施形態においては、図示せぬ物体の平均移動速度を算出し、算出された平均移動速度に基づいてスクロール速度を設定するようにしたが、このような場合に限られず、例えば始点と終点との間における最大移動速度を算出し、算出された最大移動速度に基づいてスクロール速度を設定するようにしてもよい。
【０１２７】
なお、図示せぬ物体が触覚センサ２０に接触し、触覚センサ２０上を移動する際に、触覚センサ２０上のどの領域からどの領域に移動したか否かを判定することにより、スクロール条件を設定するようにしてもよい。以下、本発明の第３実施形態について説明する。
【０１２８】
［第３実施形態］
図１２を参照して、本発明に係る情報処理装置に適用可能なカメラ付ディジタル携帯電話機１の第３実施形態におけるスクロール制御方法の概念について説明する。
【０１２９】
図１２に示されるように、カメラ付ディジタル携帯電話機１の所定の位置に設けられた触覚センサ２０上を便宜的に例えば２つの領域（領域１と領域２）に分け（すなわち、触覚センサ２０上をＸ軸方向とＹ軸方向の座標によって便宜的に２つの領域（領域１と領域２）に区分し）、実線αに示されるように図示せぬ物体（例えば、ユーザの指やタブレットなど）の移動の始点と終点ともに領域１内にある場合、スクロール速度をスクロール速度Ａに設定する。実線βに示されるように図示せぬ物体（例えば、ユーザの指やタブレットなど）の移動の始点と終点ともに領域２内にある場合、スクロール速度をスクロール速度Ｂに設定する。実線γに示されるように図示せぬ物体（例えば、ユーザの指やタブレットなど）の移動の始点が領域１内にあるが、図示せぬ物体の移動の終点が領域２内にある場合、スクロール速度をスクロール速度Ｃに設定する。実線δに示されるように図示せぬ物体（例えば、ユーザの指やタブレットなど）の移動の始点が領域２内にあるが、図示せぬ物体の移動の終点が領域１内にある場合、スクロール速度をスクロール速度Ｄに設定する。
【０１３０】
これにより、例えばユーザにより触覚センサ２０上が指で一度撫でられるだけで、図示せぬ物体が接触された触覚センサ２０上における領域に応じて表示画面のスクロール速度を設定し、設定されたスクロール速度で表示画面のスクロールを実行することができる。従って、設定するスクロール速度をユーザに視覚的に把握させつつ、ユーザの所望のスクロール条件でスクロールを実行することができる。
【０１３１】
図１３は、本発明に係る情報処理装置に適用可能なカメラ付ディジタル携帯電話機１の第１実施形態が実行することができる機能的な構成を表している。なお、図５の構成に対応するものについては同一の符号を付しており、その説明は繰り返しになるので省略する。
【０１３２】
始点・終点設定部５２は、位置情報取得部５１から供給された位置情報を取得し、取得された位置情報に基づいて始点と終点を設定し、設定された始点設定データと終点設定データをスクロール条件設定部５３のスクロール方向設定部５５および領域判定部６１に供給する。
【０１３３】
スクロール条件設定部５３は、例えば図３の主制御部３１などにより実現され、スクロール方向を設定するスクロール方向設定部５５、スクロール速度を設定するスクロール速度設定部５７、および、図示せぬ物体の移動の始点および終点が属する領域を判定する領域判定部６１により構成される。
【０１３４】
領域判定部６１は、例えば図３の主制御部３１などにより実現され、始点・終点設定部５２から供給された始点設定データと終点設定データを取得し、取得された始点設定データと終点設定データに基づいて、図示せぬ物体の移動の始点および終点が属する領域を判定し、その領域判定結果をスクロール速度設定部５７に供給する。
【０１３５】
スクロール速度設定部５７は、領域判定部６１から供給された領域判定結果を取得し、取得された領域判定結果に基づいてスクロール速度を設定する。
【０１３６】
次に、図１４のフローチャートを参照して、図１１のカメラ付ディジタル携帯電話機１におけるスクロール制御処理について説明する。図１４のステップＳ５１乃至Ｓ６１、およびステップＳ６９の処理は、図６のステップＳ１乃至Ｓ１１、およびステップＳ１６の処理と基本的には同様であり、その説明は繰り返しになるので省略する。
【０１３７】
ステップＳ６２において、領域判定部６１は、始点・終点設定部５２から供給された始点設定データと終点設定データを取得し、取得された始点設定データに含まれる始点に設定された位置の位置情報（Ｘ軸方向とＹ軸方向の座標情報）に基づいて、図示せぬ物体の移動の始点が領域１内にあるか否かを判定する。
【０１３８】
具体的には、図１５の例の場合、実線αにおいては始点Ｐα１が領域１内にある（始点Ｐα１の座標（Ｘα１，Ｙα１）が領域１内のいずれかの位置の座標である）ことから、図示せぬ物体の移動の始点が領域１内にあると判定される。また、実線γにおいては始点Ｐγ１が領域１内にある（始点Ｐγ１の座標（Ｘγ１，Ｙγ１）が領域１内のいずれかの位置の座標である）ことから、図示せぬ物体の移動の始点が領域１内にあると判定される。
【０１３９】
一方、実線βにおいては始点Ｐβ１が領域２内にある（始点Ｐβ１の座標（Ｘβ１，Ｙβ１）が領域２内のいずれかの位置の座標である）ことから、図示せぬ物体の移動の始点が領域１内にはないと判定される。また、実線δにおいては始点Ｐδ１が領域２内にある（始点Ｐδ１の座標（Ｘδ１，Ｙδ１）が領域２内のいずれかの位置の座標である）ことから、図示せぬ物体の移動の始点が領域１内にはないと判定される。
【０１４０】
ステップＳ６２において図示せぬ物体の移動の始点が領域１内にあると判定された場合、領域判定部６１はステップＳ６３で、取得された終点設定データに含まれる終点に設定された位置の位置情報（Ｘ軸方向とＹ軸方向の座標情報）に基づいて、図示せぬ物体の移動の終点が領域１内にあるか否かを判定する。
【０１４１】
具体的には、図１５の例の場合、実線αにおいては終点Ｐαｎが領域１内にある（終点Ｐαｎの座標（Ｘαｎ，Ｙαｎ）が領域１内のいずれかの位置の座標である）ことから、図示せぬ物体の移動の始点が領域１内にあると判定される。一方、実線γにおいては終点Ｐγｎが領域２内にある（始点Ｐγｎの座標（Ｘγｎ，Ｙγｎ）が領域２内のいずれかの位置の座標である）ことから、図示せぬ物体の移動の終点が領域１内にはないと判定される。
【０１４２】
ステップＳ６３において図示せぬ物体の移動の始点が領域１内にあると判定された場合、領域判定部６１は、その領域判定結果（図示せぬ物体の移動の始点と終点とともに領域１内にある旨の判定結果）をスクロール速度設定部５７に供給する。
【０１４３】
ステップＳ６４において、スクロール速度設定部５７は、領域判定部６１から供給された領域判定結果（図示せぬ物体の移動の始点と終点がともに領域１内にある旨の判定結果）を取得し、取得された領域判定結果（図示せぬ物体の移動の始点と終点とともに領域１内にある旨の判定結果）に基づいて、図示せぬ物体の移動の始点と終点とともに領域１内にあることを認識するとともに、スクロール速度をスクロール速度Ａに設定する。これにより、図１５の例の場合、実線αにおいては、図示せぬ物体の移動の始点Ｐα１と終点Ｐαｎがともに領域１内にあることから、スクロール速度はスクロール速度Ａに設定される。
【０１４４】
スクロール速度設定部５７は、設定されたスクロール速度に関するデータであるスクロール速度設定データ（スクロール速度がスクロール速度Ａに設定されたスクロール速度設定データ）をスクロール実行制御部５４に供給する。
【０１４５】
ステップＳ６３において図示せぬ物体の移動の始点が領域１内にはないと判定された場合、領域判定部６１は、その領域判定結果（図示せぬ物体の移動の始点は領域１内にあるが、終点は領域１内にはない旨の判定結果）をスクロール速度設定部５７に供給する。
【０１４６】
ステップＳ６５において、スクロール速度設定部５７は、領域判定部６１から供給された領域判定結果（図示せぬ物体の移動の始点は領域１内にあるが、終点は領域１内にはない旨の判定結果）を取得し、取得された領域判定結果（図示せぬ物体の移動の始点は領域１内にあるが、終点は領域１内にはない旨の判定結果）に基づいて、図示せぬ物体の移動の始点は領域１内にあるが、終点は領域１内にはないことを認識するとともに、スクロール速度をスクロール速度Ｃに設定する。これにより、図１５の例の場合、実線γにおいては、図示せぬ物体の移動の始点Ｐγ１が領域１内にあるが、終点Ｐγｎが領域１にない（領域２内にある）ことから、スクロール速度はスクロール速度Ｃ設定される。
【０１４７】
スクロール速度設定部５７は、設定されたスクロール速度に関するデータであるスクロール速度設定データ（スクロール速度がスクロール速度Ｃに設定されたスクロール速度設定データ）をスクロール実行制御部５４に供給する。
【０１４８】
ステップＳ６２において図示せぬ物体の移動の始点が領域１内にはないと判定された場合、領域判定部６１はステップＳ６６で、取得された終点設定データに含まれる終点に設定された位置の位置情報（Ｘ軸方向とＹ軸方向の座標情報）に基づいて、図示せぬ物体の移動の終点が領域１内にあるか否かを判定する。
【０１４９】
具体的には、図１５の例の場合、実線βにおいては終点Ｐβｎが領域２内にある（終点Ｐαｎの座標（Ｘβｎ，Ｙβｎ）が領域２内のいずれかの位置の座標である）ことから、図示せぬ物体の移動の始点が領域１内にはないと判定される。一方、実線δにおいては終点Ｐδｎが領域１内にある（終点Ｐδｎの座標（Ｘδｎ，Ｙδｎ）が領域１内のいずれかの位置の座標である）ことから、図示せぬ物体の移動の終点が領域１内にあると判定される。
【０１５０】
ステップＳ６６において図示せぬ物体の移動の終点が領域１内にあると判定された場合、領域判定部６１は、その領域判定結果（図示せぬ物体の移動の始点は領域１内にないが、終点は領域１内にある旨の判定結果）をスクロール速度設定部５７に供給する。
【０１５１】
ステップＳ６７において、スクロール速度設定部５７は、領域判定部６１から供給された領域判定結果（図示せぬ物体の移動の始点は領域１内にないが、終点は領域１内にある旨の判定結果）を取得し、取得された領域判定結果（図示せぬ物体の移動の始点は領域１内にないが、終点は領域１内にある旨の判定結果）に基づいて、図示せぬ物体の移動の始点は領域１内にない（領域２内にある）が、終点は領域１内にあることを認識するとともに、スクロール速度をスクロール速度Ｄに設定する。
【０１５２】
これにより、図１５の例の場合、実線δにおいては、図示せぬ物体の移動の始点Ｐδ１が領域２内にあるが、終点Ｐδｎが領域１内にあることから、スクロール速度はスクロール速度Ｄに設定される。
【０１５３】
スクロール速度設定部５７は、設定されたスクロール速度に関するデータであるスクロール速度設定データ（スクロール速度がスクロール速度Ｄに設定されたスクロール速度設定データ）をスクロール実行制御部５４に供給する。
【０１５４】
ステップＳ６６において図示せぬ物体の移動の終点が領域１内にないと判定された場合、領域判定部６１は、その領域判定結果（図示せぬ物体の移動の始点と終点がともに領域１内にない旨の判定結果）をスクロール速度設定部５７に供給する。
【０１５５】
ステップＳ６８において、スクロール速度設定部５７は、領域判定部６１から供給された領域判定結果（図示せぬ物体の移動の始点と終点がともに領域１内にない旨の判定結果）を取得し、取得された領域判定結果（図示せぬ物体の移動の始点と終点がともに領域１内にない旨の判定結果）に基づいて、図示せぬ物体の移動の始点と終点がともに領域１内にないことを認識するとともに、スクロール速度をスクロール速度Ｂに設定する。これにより、図１５の例の場合、実線βにおいては、図示せぬ物体の移動の始点Ｐβ１と終点Ｐβｎがともに領域２内にあることから、スクロール速度はスクロール速度Ｂに設定される。
【０１５６】
スクロール速度設定部５７は、設定されたスクロール速度に関するデータであるスクロール速度設定データ（スクロール速度がスクロール速度Ｂに設定されたスクロール速度設定データ）をスクロール実行制御部５４に供給する。
【０１５７】
その後、処理はステップＳ６９に進み、ステップＳ６９においてスクロール実行制御処理が行われる。すなわち、例えばスクロール方向が上方に設定され、かつ、スクロール速度がスクロール速度Ａに設定された場合、上方かつスクロール速度Ａで液晶ディスプレイ１７に表示される表示画面のスクロールが実行される。
【０１５８】
本発明の第３実施形態においては、カメラ付ディジタル携帯電話機１の所定の位置に設けられた触覚センサ２０によって図示せぬ物体が逐次検出されることで始点と終点が設定され、設定された始点設定データと終点設定データに基づいてスクロール方向を設定し、図示せぬ物体が接触された触覚センサ２０上における領域に応じてスクロール速度を設定するようにしたので、設定するスクロール速度をユーザに視覚的に把握させつつ、限られた資源においても、所望のスクロール条件を短時間に、かつ、簡単に設定することができる。これにより、ユーザの好みに合わせて、表示画面をより好適にスクロールすることができる。従って、カメラ付ディジタル携帯電話機の操作性を向上させることができる。
【０１５９】
なお、本発明の第３実施形態においては、カメラ付ディジタル携帯電話機１の所定の位置に設けられた触覚センサ２０上を２つの領域（領域１と領域２）に便宜的に分けるようにしたが、このような場合に限られず、例えば便宜的に区分する領域の数を３つ以上にするようにしてもよい。
【０１６０】
なお、本発明の第１実施形態においては、設定された始点と終点との距離（図示せぬ物体の移動距離）を算出し、算出された移動距離算出結果に基づいてスクロール速度を設定するようにしたが、始点と終点との間における図示せぬ物体の押圧を算出し、算出された始点・終点間における押圧に応じてスクロール速度を設定するようにしてもよい。これにより、カメラ付ディジタル携帯電話機１の所定の位置に設けられた触覚センサ２０の面積が小さく、図示せぬ物体が触覚センサ２０上を移動しにくい場合であっても、所望のスクロール条件を短時間に、かつ、簡単に設定することができる。以下、本発明の第４実施形態について説明する。
【０１６１】
［第４実施形態］
図１６を参照して、本発明に係る情報処理装置に適用可能なカメラ付ディジタル携帯電話機１の第４実施形態におけるスクロール制御方法の概念について説明する。
【０１６２】
図１６に示されるように、ユーザにより、カメラ付ディジタル携帯電話機１の所定の位置に設けられた触覚センサ２０上の始点Ｐ１に例えば指が接触され、触覚センサ２０上の終点Ｐｎまで移動された後に触覚センサ２０から離された場合、始点Ｐ１と終点Ｐｎとの間における押圧が大きいことから、スクロールの速度は速めのスクロール速度Ａに設定され、設定されたスクロール速度Ａで表示画面のスクロールが実行される。
【０１６３】
一方、カメラ付ディジタル携帯電話機１の所定の位置に設けられた触覚センサ２０上の始点Ｑ１に例えば指が接触され、触覚センサ２０上の終点Ｑｎまで移動された後に触覚センサ２０から離された場合、始点Ｑ１と終点Ｑｎとの間における押圧が小さいことから、スクロールの速度は遅めのスクロール速度Ｂに設定され、設定されたスクロール速度Ｂで表示画面のスクロールが実行される。これにより、カメラ付ディジタル携帯電話機１の所定の位置に設けられた触覚センサ２０の面積が小さく、触覚センサ２０上を図示せぬ物体が移動しにくい場合であっても、所望のスクロール条件を短時間に、かつ、簡単に設定することができる。
【０１６４】
図１７は、本発明に係る情報処理装置に適用可能なカメラ付ディジタル携帯電話機１の第４実施形態が実行することができる機能的な構成を表している。なお、図５の構成に対応するものについては同一の符号を付しており、その説明は繰り返しになるので省略する。
【０１６５】
圧力情報取得部６２は、例えば図３の主制御部３１などにより実現され、触覚センサ２０から供給された検出信号から、触覚センサ２０上に接触された図示せぬ物体の圧力情報を逐次取得し、取得された圧力情報をスクロール条件設定部５３の押圧算出部６３に供給する。
【０１６６】
スクロール条件設定部５３は、例えば図３の主制御部３１などにより実現され、スクロール方向を設定するスクロール方向設定部５５、スクロール速度を設定するスクロール速度設定部５７、および、図示せぬ物体の移動の始点と終点との間における押圧を算出する押圧算出部６３により構成される。
【０１６７】
押圧算出部６３は、例えば図３の主制御部３１などにより実現され、圧力情報取得部６２から供給された圧力情報を取得し、取得された圧力情報に基づいて、設定された始点と終点との間における図示せぬ物体の押圧の最大値を算出し、算出された押圧算出結果をスクロール速度設定部５７に供給する。
【０１６８】
スクロール速度設定部５７は、押圧算出部６３から供給された押圧算出結果を取得し、取得された押圧算出結果が予め設定された所定の基準値よりも大きいか否かを判定する。取得された押圧算出結果が予め設定された所定の基準値よりも大きいと判定された場合、スクロール速度設定部５７は、スクロール速度を速めのスクロール速度Ａに設定する。一方、取得された押圧算出結果が予め設定された所定の基準値よりも小さいと判定された場合、スクロール速度設定部５７は、スクロール速度を遅めのスクロール速度Ｂに設定する。
【０１６９】
次に、図１８のフローチャートを参照して、図１７のカメラ付ディジタル携帯電話機１におけるスクロール制御処理について説明する。なお、図１８のステップＳ８１乃至Ｓ８２、ステップＳ８４乃至Ｓ９２、およびステップＳ９７の処理は、図６のステップＳ１乃至Ｓ１１、およびステップＳ１６の処理と基本的には同様であり、その説明は繰り返しになるので省略する。
【０１７０】
ステップＳ８３において、圧力情報取得部６２は、触覚センサ２０から供給された検出信号から、触覚センサ２０上に接触された図示せぬ物体の圧力情報を逐次取得し、取得された圧力情報をスクロール条件設定部５３の押圧算出部６３に供給する。
【０１７１】
その後、処理はステップＳ８４に進み、ステップＳ８４以降の処理が繰り返される。これにより、位置情報により設定された始点から終点までの図示せぬ物体の圧力情報を逐次取得することができる。
【０１７２】
ステップＳ９３において、押圧算出部６３は、圧力情報取得部６２から供給された圧力情報を取得し、取得された圧力情報に基づいて、設定された始点と終点との間における図示せぬ物体の押圧の最大値を算出し、算出された押圧算出結果をスクロール速度設定部５７に供給する。
【０１７３】
ステップＳ９４において、スクロール速度設定部５７は、押圧算出部６３から供給された押圧算出結果を取得し、取得された押圧算出結果が予め設定された所定の基準値よりも大きいか否かを判定する。ステップＳ９４において取得された押圧算出結果が予め設定された所定の基準値よりも大きいと判定された場合、スクロール速度設定部５７はステップＳ９５で、スクロール速度を速めのスクロール速度Ａに設定する。一方、ステップＳ９４において取得された押圧算出結果が予め設定された所定の基準値よりも小さいと判定された場合、スクロール速度設定部５７はステップＳ９６で、スクロール速度を遅めのスクロール速度Ｂに設定する。
【０１７４】
本発明の第４実施形態においては、カメラ付ディジタル携帯電話機１の所定の位置に設けられた触覚センサ２０によって図示せぬ物体が逐次検出されることで始点と終点が設定され、設定された始点設定データと終点設定データに基づいてスクロール方向を設定するとともに、始点と終点との間における図示せぬ物体の押圧を算出し、算出された始点・終点間における押圧に応じてスクロール速度を設定するようにしたので、カメラ付ディジタル携帯電話機１の所定の位置に設けられた触覚センサ２０の面積が小さく、図示せぬ物体が触覚センサ２０上を移動しにくい場合であっても、所望のスクロール条件を短時間に、かつ、簡単に設定することができる。これにより、ユーザの好みに合わせて、表示画面をより好適にスクロールすることができる。従って、カメラ付ディジタル携帯電話機の操作性を向上させることができる。
【０１７５】
ところで、カメラ付ディジタル携帯電話機１に複数の触覚センサ２０を設けるようにして、図示せぬ物体により接触された触覚センサ２０の種類（例えば、２つの触覚センサ２０を設けた場合に、いずれかの触覚センサ２０であるか）によって、スクロール速度を設定するようにしてもよい。以下、本発明の第５実施形態について説明する。
【０１７６】
［第５実施形態］
図１９を参照して、本発明に係る情報処理装置に適用可能なカメラ付ディジタル携帯電話機１の第５実施形態におけるスクロール制御方法の概念について説明する。
【０１７７】
図１９に示されるように、カメラ付ディジタル携帯電話機１の所定の位置に第１触覚センサ２０−１と第２触覚センサ２０−２を設け、図示せぬ物体（例えば、ユーザの指や旅レットなど）が第１触覚センサ２０−１で検出されると、スクロール速度を速めのスクロール速度Ａに設定し、図示せぬ物体が第２触覚センサ２０−２で検出されると、スクロール速度を遅めのスクロール速度Ｂに設定する。これにより、ユーザの好みに合わせて、所望のスクロール条件をより短時間に、かつ、より簡単に設定することができる。
【０１７８】
図２０は、本発明に係る情報処理装置に適用可能なカメラ付ディジタル携帯電話機１の第５実施形態が実行することができる機能的な構成を表している。なお、図５の構成に対応するものについては同一の符号を付しており、その説明は繰り返しになるので省略する。
【０１７９】
スクロール条件設定部５３は、例えば図３の主制御部３１などにより実現され、スクロール方向を設定するスクロール方向設定部５５、スクロール速度を設定するスクロール速度設定部５７、および、図示せぬ物体が検出された触覚センサ２０が第１触覚センサ２０−１であるか、あるいは第２触覚センサ２０−２であるかを判定する触覚センサ判定部６４により構成される。
【０１８０】
触覚センサ判定部６４は、例えば図３の主制御部３１などにより実現され、位置情報取得部５１から供給された位置情報を取得し、取得された位置情報（Ｘ軸方向とＹ軸方向の座標情報）に基づいて、図示せぬ物体が検出された触覚センサ２０が第１触覚センサ２０−１であるか、あるいは第２触覚センサ２０−２であるかを判定し、その触覚センサ判定結果をスクロール速度設定部５７に供給する。
【０１８１】
スクロール速度設定部５７は、触覚センサ判定部６４から供給された触覚センサ判定結果を取得し、取得された触覚センサ判定結果に基づいて図示せぬ物体が検出された触覚センサ２０が第１触覚センサ２０−１であるか、あるいは第２触覚センサ２０−２であるかを認識する。スクロール速度設定部５７は、図示せぬ物体が検出された触覚センサ２０が第１触覚センサ２０−１であると認識すると、スクロール速度を速めのスクロール速度Ａに設定し、図示せぬ物体が検出された触覚センサ２０が第１触覚センサ２０−２であると認識すると、スクロール速度を遅めのスクロール速度Ｂに設定する。
【０１８２】
次に、図２１のフローチャートを参照して、図２０のカメラ付ディジタル携帯電話機１におけるスクロール制御処理について説明する。なお、図２１のステップＳ１０１乃至Ｓ１０２、およびステップＳ１０８乃至Ｓ１１７の処理は、図６のステップＳ１乃至Ｓ１１、およびステップＳ１６の処理と同様であり、その説明は繰り返しになるので省略する。
【０１８３】
このスクロール制御処理は、まず、ユーザにより例えば指などが触覚センサ２０−１または２０−２のいずれかに接触されることにより、開始され、スクロール速度が設定される。
【０１８４】
ステップＳ１０３において、触覚センサ判定部６４は、スクロール速度設定部５７から供給される、スクロール速度がすでに設定されている旨の通知の有無に基づいて、スクロール速度がすでに設定されているか否かを判定する。
【０１８５】
ステップＳ１０３においてスクロール速度がまだ設定されていないと判定された場合、触覚センサ判定部６４はステップＳ１０４で、位置情報取得部５１から供給された位置情報に基づいて、第１触覚センサ２０−１で図示せぬ物体を検出したか否かを判定する。
【０１８６】
ステップＳ１０４において第１触覚センサ２０−１で図示せぬ物体を検出したと判定された場合、触覚センサ判定部６４は、その触覚センサ判定結果（第１触覚センサ２０−１で図示せぬ物体を検出した旨の判定結果）をスクロール速度設定部５７に供給する。
【０１８７】
ステップＳ１０５において、スクロール速度設定部５７は、触覚センサ判定部６４から供給された触覚センサ判定結果（第１触覚センサ２０−１で図示せぬ物体を検出した旨の判定結果）を取得し、取得された触覚センサ判定結果（第１触覚センサ２０−１で図示せぬ物体を検出した旨の判定結果）に基づいて、第１触覚センサ２０−１で図示せぬ物体を検出したことを認識する。スクロール速度設定部５７は、第１触覚センサ２０−１で図示せぬ物体を検出したことを認識すると、スクロール速度をスクロール速度Ａに設定し、設定されたスクロール速度設定データをスクロール実行制御部５４に供給する。
【０１８８】
ステップＳ１０４において第２触覚センサ２０−２で図示せぬ物体を検出したと判定された場合、触覚センサ判定部６４は、その触覚センサ判定結果（第２触覚センサ２０−２で図示せぬ物体を検出した旨の判定結果）をスクロール速度設定部５７に供給する。
【０１８９】
ステップＳ１０６において、スクロール速度設定部５７は、触覚センサ判定部６４から供給された触覚センサ判定結果（第２触覚センサ２０−２で図示せぬ物体を検出した旨の判定結果）を取得し、取得された触覚センサ判定結果（第２触覚センサ２０−２で図示せぬ物体を検出した旨の判定結果）に基づいて、第２触覚センサ２０−２で図示せぬ物体を検出したことを認識する。スクロール速度設定部５７は、第２触覚センサ２０−２で図示せぬ物体を検出したことを認識すると、スクロール速度をスクロール速度Ｂに設定し、設定されたスクロール速度設定データをスクロール実行制御部５４に供給する。
【０１９０】
次に、ユーザは、スクロール方向を設定させるために、カメラ付ディジタル携帯電話機１の所定の位置に設けられた第１触覚センサ２０−１に例えば指などを接触させる。なお、スクロール速度を設定する場合に、第１触覚センサ２０−１にすでに例えば指などが接触されているときには、ユーザは、そのまま、例えば指などを移動させることでスクロール方向を設定させることができる。
【０１９１】
ステップＳ１０７において、始点・終点設定部５２は、位置情報取得部５１から供給された位置情報に基づいて、第１触覚センサで図示せぬ物体が検出されたか否かを判定する。ステップＳ１０７において第１触覚センサで図示せぬ物体が検出されたと判定された場合、処理はステップＳ１０８に進み、その後、ステップＳ１０９において始点の設定が行われる。
【０１９２】
ステップＳ１０７において第１触覚センサで図示せぬ物体が検出されていないと判定された場合、処理はステップＳ１０１に戻り、その後、ステップＳ１０１以降の処理が繰り返される。
【０１９３】
一方、ステップＳ１０３においてスクロール速度がすでに設定されていると判定された場合、ステップＳ１０４乃至Ｓ１０６の処理はスキップされ、その後、処理はステップＳ１０７に進む。これにより、スクロール速度を設定した後、始点と終点を設定し、スクロール方向を設定することができる。
【０１９４】
本発明の第５実施形態においては、カメラ付ディジタル携帯電話機１の所定の位置に設けられた複数の触覚センサ２０のいずれかが図示せぬ物体により接触されたかによりスクロール速度を設定し、カメラ付ディジタル携帯電話機１の所定の位置に設けられた触覚センサ２０によって図示せぬ物体が逐次検出されることで始点と終点が設定され、設定された始点設定データと終点設定データに基づいてスクロール方向を設定するようにしたので、限られた資源であっても、所望のスクロール条件をより短時間に、かつ、より簡単に設定することができる。これにより、ユーザの好みに合わせて、表示画面をより好適にスクロールすることができる。従って、カメラ付ディジタル携帯電話機の操作性を向上させることができる。
【０１９５】
なお、本発明の第５実施形態においては、カメラ付ディジタル携帯電話機１の所定の位置に設けられた複数の触覚センサ２０を用いて、スクロール速度を設定するようにしたが、このような場合に限られず、例えば既存の操作キー１４（例えば、soft１キーやsoft２キーなど）を用いてスクロール速度を設定するようにしてもよい。
【０１９６】
また、スクロール速度設定用に設けられる例えば触覚センサ２０の数は、２つに限られず、３つ以上設けるようにしてもよい。これにより、ユーザの好みに合わせて、所望のスクロール条件をより短時間に、より簡単に、かつ、より高精細に設定することができる。
【０１９７】
さらに、ユーザにより第２触覚センサ２０−２が例えば複数回接触されると、スクロール速度がスクロール速度Ｂの接触回数倍の速度に設定されるようにしてもよい。すなわち、ユーザにより第２触覚センサ２０−２が例えば２回接触されると、スクロール速度がスクロール速度Ｂの２倍の速度に設定されるようにしてもよい。これにより、限られた資源であっても、所望のスクロール条件をより短時間に、かつ、より簡単に設定することができる。
【０１９８】
なお、ユーザによりカメラ付ディジタル携帯電話機１の所定の位置に設けられた触覚センサ２０が単に例えば２回接触されることにより、スクロール方向とスクロール速度などのスクロール条件を設定するようにしてもよい。以下、本発明の第６実施形態について説明する。
【０１９９】
［第６実施形態］
図２２を参照して、本発明に係る情報処理装置に適用可能なカメラ付ディジタル携帯電話機１の第６実施形態におけるスクロール制御方法の概念について説明する。
【０２００】
図２２に示されるように、ユーザにより、カメラ付ディジタル携帯電話機１の所定の位置に設けられた触覚センサ２０上の始点Ｐ１に例えば指が接触された後、触覚センサ２０上の終点Ｐｎに指が接触された場合、終点Ｐｎが始点Ｐ１よりも下方にあることからスクロール方向が下方に設定されるとともに、移動距離が大きいことから、スクロールの速度は速めのスクロール速度Ａに設定され、設定されたスクロール速度Ａで表示画面のスクロールが実行される。
【０２０１】
一方、カメラ付ディジタル携帯電話機１の所定の位置に設けられた触覚センサ２０上の始点Ｑ１に例えば指が接触された後、触覚センサ２０上の終点Ｑｎに接触された場合、終点Ｑｎが始点Ｑ１よりも下方にあることからスクロール方向が下方に設定されるとともに、移動距離が小さいことから、スクロールの速度は遅めのスクロール速度Ｂに設定され、設定されたスクロール速度Ｂで表示画面のスクロールが実行される。
【０２０２】
これにより、例えばユーザは指などを触覚センサ２０上で移動させることなく、表示画面のスクロール速度を設定させ、設定されたスクロール速度で表示画面のスクロールを実行させることができる。
【０２０３】
なお、本発明に係る情報処理装置に適用可能なカメラ付ディジタル携帯電話機１の第５実施形態が実行することができる機能的な構成については、図５の構成と基本的には同様であり、その説明は繰り返しになるので省略する。
【０２０４】
次に、図２３のフローチャートを参照して、図５のカメラ付ディジタル携帯電話機１における他のスクロール制御処理について説明する。なお、図２３のステップＳ１２６乃至Ｓ１３５の処理は、図６のステップＳ８乃至Ｓ１７の処理と基本的には同様であり、その説明は繰り返しになるので省略する。
【０２０５】
ステップＳ１２１において、触覚センサ２０は、触覚センサ２０上に接触した物体を逐次検出して検出信号を生成し、生成された検出信号を位置情報取得部５１に供給する。この検出信号には、物体（例えば、ユーザの指やタブレットなど）の触覚センサ２０上における位置情報（例えば図７に示されるようなＸ軸方向とＹ軸方向の座標情報）と、その位置における圧力情報が含まれる。
【０２０６】
ステップＳ１２２において、位置情報取得部５１は、触覚センサ２０から供給された検出信号から、触覚センサ２０上に接触された図示せぬ物体の位置情報を逐次取得し、取得された位置情報を始点・終点設定部５２に供給する。
【０２０７】
ステップＳ１２３は、始点・終点設定部５２は、位置情報取得部５１から供給された位置情報を取得し、取得された位置情報に基づいて図示せぬ物体の検出が予め設定された所定の時間内で１回目であるか否かを判定する。
【０２０８】
ステップＳ１２３において図示せぬ物体の検出が予め設定された所定の時間内で１回目であると判定された場合、始点・終点設定部５２は、取得された位置情報に基づいて、触覚センサ２０上の図示せぬ物体の始点を設定し、設定された図示せぬ物体の始点に関するデータである始点設定データをスクロール条件設定部５３のスクロール方向設定部５５と移動距離算出部５６に供給する。
【０２０９】
その後、処理はステップＳ１２１に進み、ステップＳ１２１以降の処理が繰り返される。
【０２１０】
一方、ステップＳ１２３において図示せぬ物体の検出が予め設定された所定の時間内で１回目ではないと判定された場合（すなわち、図示せぬ物体の検出が予め設定された所定の時間内で２回目であると判定された場合）、始点・終点設定部５２は、取得された位置情報に基づいて、触覚センサ２０上の図示せぬ物体の終点を設定し、設定された図示せぬ物体の終点に関するデータである終点設定データをスクロール条件設定部５３のスクロール方向設定部５５と移動距離算出部５６に供給する。
【０２１１】
その後、処理はステップＳ１２６に進み、その後、ステップＳ１２６以降の処理が実行され、スクロール実行制御処理が行われる。すなわち、例えばスクロール方向が上方に設定され、かつ、スクロール速度が速めのスクロール速度に設定された場合、上方かつ速めのスクロール速度Ａで液晶ディスプレイ１７に表示される表示画面のスクロールが実行される。
【０２１２】
本発明の第６実施形態においては、カメラ付ディジタル携帯電話機１の所定の位置に設けられた触覚センサ２０によって図示せぬ物体が２回検出されることで始点と終点が設定され、設定された始点設定データと終点設定データに基づいてスクロール方向を設定し、設定された始点と終点との間における図示せぬ物体の移動距離に基づいてスクロール速度を設定するようにしたので、ユーザは例えば指などを触覚センサ２０上で移動させる必要がなくなり、ユーザにより例えば指などが触覚センサ２０上に２回接触せられるだけで、所望のスクロール条件をより短時間に、かつ、より簡単に設定することができる。これにより、ユーザの好みに合わせて、表示画面をより好適にスクロールすることができる。また、カメラ付ディジタル携帯電話機１に設けられる触覚センサ２０の面積をより小さくすることが可能となり、触覚センサを設けることによるコストアップを抑制することができる。さらに、ユーザにより触覚センサ２０への接触回数を低減することにより、触覚センサ２０の物理的な損傷を抑制することができる。従って、カメラ付ディジタル携帯電話機の操作性をより向上させることができる。
【０２１３】
なお、本発明の第１乃至第６の実施形態において、一度設定されたスクロール条件を所定の時間記憶しておき、その後、ユーザにより指で触覚センサ２０が接触されたとき、記憶されているスクロール条件でスクロールを実行するようにしてもよい。以下、本発明に係る第７実施形態について説明する。
【０２１４】
［第７実施形態］
図２４は、本発明に係る情報処理装置に適用可能なカメラ付ディジタル携帯電話機１の第７実施形態が実行することができる機能的な構成を表している。なお、図５の構成と対応するものについては同様の符号を付しており、その説明は繰り返しになるので省略する。
【０２１５】
補助記憶部６５は、例えば図３の記憶部４７などからなり、スクロール方向設定部５５から供給されたスクロール方向設定データを取得し、取得されたスクロール方向設定データを記憶する。また、補助記憶部６５は、スクロール速度設定部５７から供給されたスクロール速度設定データを取得し、取得されたスクロール速度設定データを記憶する。
【０２１６】
操作入力制御部３３（図３の操作入力制御部３３）は、ユーザにより操作キー１４が操作されることにより入力された種々のデータを取得し、取得された種々のデータをカメラ付ディジタル携帯電話機２の各部に供給する。
【０２１７】
次に、図２５のフローチャートを参照して、図５のカメラ付ディジタル携帯電話機１におけるスクロール制御処理について説明する。なお、図２５のステップＳ１４１乃至Ｓ１５５、およびステップＳ１５７の処理は、図６のステップＳ１乃至Ｓ１６の処理と同様であり、その説明は繰り返しになるので省略する。
【０２１８】
ステップＳ１５６において、補助記憶部６５は、スクロール方向設定部５５から供給されたスクロール方向設定データを取得し、取得されたスクロール方向設定データを記憶する。また、補助記憶部６５は、スクロール速度設定部５７から供給されたスクロール速度設定データを取得し、取得されたスクロール速度設定データを記憶する。
【０２１９】
ステップＳ１５８において、スクロール実行制御部５４は、スクロールを実行することにより、液晶ディスプレイ１７に表示される表示画面の終端（上方または下方の終端）に到達したか否かを判定する。
【０２２０】
ステップＳ１５８において液晶ディスプレイ１７に表示される表示画面の終端に到達していないと判定された場合、スクロール実行制御部５４はステップＳ１５９で、操作入力制御部３３を介して、ユーザにより操作キー１４が操作されることによりスクロールを一時停止するとの指示がなされたか否かを判定する。
【０２２１】
ステップＳ１５９においてスクロールを一時停止するとの指示がなされたと判定された場合、スクロール実行制御部５４はステップＳ１６０で、液晶ディスプレイ１７に表示される表示画面のスクロールの一時停止を制御し、ＬＣＤ制御部３６に、液晶ディスプレイ１７に表示される表示画面のスクロールを一時停止させる。
【０２２２】
一方、ステップ１５９においてスクロールを一時停止するとの指示がなされたと判定された場合、処理はステップＳ１５７に戻り、その後、ステップＳ１５７以降の処理が繰り返される。
【０２２３】
ステップＳ１６１において、スクロール実行制御部５４は、表示画面のスクロールが一時停止された後、予め設定された所定の時間内（例えば、３０秒以内など）に図示せぬ物体を検知したか否かを判定する。
【０２２４】
ステップＳ１６１において表示画面のスクロールが一時停止された後、予め設定された所定の時間内に図示せぬ物体を検知したと判定された場合、スクロール実行制御部５４はステップＳ１６２で、補助記憶部６５に記憶されているスクロール条件に関するスクロール方向設定データおよびスクロール速度設定データを読み出す。
【０２２５】
その後、処理はステップＳ１５７に進み、ステップＳ１５７以降の処理が繰り返される。すなわち、補助記憶部６５から読み出されたスクロール方向設定データおよびスクロール速度設定データに基づいて、液晶ディスプレイ１７に表示される表示画面のスクロールの実行が制御される。これにより、スクロールを一時停止した後で予め設定された所定の時間内であれば、再度スクロール条件を設定することなく、すでに設定されたスクロール条件でスクロールを実行することができる。
【０２２６】
ステップＳ１６１において表示画面のスクロールが一時停止された後、予め設定された所定の時間内に図示せぬ物体を検知していないと判定された場合、スクロール実行制御部５４はステップＳ１６３で、スクロールを停止する。
【０２２７】
一方、ステップＳ１５８において液晶ディスプレイ１７に表示される表示画面の終端に到達したと判定された場合、処理はステップＳ１６３に進み、ステップＳ１６３においてスクロールが停止される。
【０２２８】
本発明の第７実施形態においては、一度設定されたスクロール条件を記憶しおき、例えばユーザが誤ってスクロールの一時停止してしまい、その後スクロールの実行が指示された場合、再度スクロール条件を設定することなく、すでに設定されたスクロール条件でスクロールを実行することができる。これにより、所望のスクロール条件をより短時間に、かつ、より簡単に設定することができる。従って、ユーザの好みに合わせて、表示画面をより好適にスクロールすることができ、その結果、カメラ付ディジタル携帯電話機の操作性をより向上させることができる。
【０２２９】
なお、本発明の第１乃至第７実施形態においては、図示せぬ物体を検出するために触覚センサを用いるようにしたが、このような場合に限られず、図示せぬ物体を検出できさえすればよく、例えば静電タッチパッドなどに用いられる静電センサなどを用いるようにしてもよい。
【０２３０】
また、本発明の第１乃至第７実施形態においては、ユーザにより例えば指などが触覚センサ２０上で移動させられた後、スクロール条件を設定するようにしたが、ユーザにより例えば指などが触覚センサ２０上で移動させられている最中にリアルタイムでスクロール条件を設定するようにしてもよい。
【０２３１】
なお、本発明は、カメラ付ディジタル携帯電話機１以外にも、ＰＤＡ（Personal Digital Assistant）、パーソナルコンピュータ、その他の情報処理装置にも適用することができる。
【０２３２】
また、本発明の実施形態において説明した一連の処理は、ソフトウェアにより実行させることもできるが、ハードウェアにより実行させることもできる。
【０２３３】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０２３４】
【図１】本発明に係る情報処理装置として適用可能なカメラ付ディジタル携帯電話機の外観の構成を示す外観図。
【図２】本発明に係る情報処理装置として適用可能なカメラ付ディジタル携帯電話機の他の外観の構成を示す外観図。
【図３】本発明に係る情報処理装置として適用可能なカメラ付ディジタル携帯電話機の内部の詳細な構成を示すブロック図。
【図４】本発明に係る情報処理装置に適用可能なカメラ付ディジタル携帯電話機の第１実施形態におけるスクロール制御方法の概念を説明する説明図。
【図５】本発明に係る情報処理装置に適用可能なカメラ付ディジタル携帯電話機の第１実施形態が実行することができる機能的な構成を示すブロック図。
【図６】図５のカメラ付ディジタル携帯電話機におけるスクロール制御処理を説明するフローチャート。
【図７】触覚センサ上での図示せぬ物体の移動軌跡を示す図。
【図８】本発明に係る情報処理装置に適用可能なカメラ付ディジタル携帯電話機の第２実施形態におけるスクロール制御方法の概念を説明する説明図。
【図９】本発明に係る情報処理装置に適用可能なカメラ付ディジタル携帯電話機の第２実施形態が実行することができる機能的な構成を示すブロック図。
【図１０】図９のカメラ付ディジタル携帯電話機におけるスクロール制御処理を説明するフローチャート。
【図１１】触覚センサ上での図示せぬ物体の移動軌跡を示す図。
【図１２】本発明に係る情報処理装置に適用可能なカメラ付ディジタル携帯電話機の第３実施形態におけるスクロール制御方法の概念を説明する説明図。
【図１３】本発明に係る情報処理装置に適用可能なカメラ付ディジタル携帯電話機の第３実施形態が実行することができる機能的な構成を示すブロック図。
【図１４】図１３のカメラ付ディジタル携帯電話機におけるスクロール制御処理を説明するフローチャート。
【図１５】触覚センサ上での図示せぬ物体の移動軌跡を示す図。
【図１６】本発明に係る情報処理装置に適用可能なカメラ付ディジタル携帯電話機の第４実施形態におけるスクロール制御方法の概念を説明する説明図。
【図１７】本発明に係る情報処理装置に適用可能なカメラ付ディジタル携帯電話機の第４実施形態が実行することができる機能的な構成を示すブロック図。
【図１８】図１７のカメラ付ディジタル携帯電話機におけるスクロール制御処理を説明するフローチャート。
【図１９】本発明に係る情報処理装置に適用可能なカメラ付ディジタル携帯電話機の第５実施形態におけるスクロール制御方法の概念を説明する説明図。
【図２０】本発明に係る情報処理装置に適用可能なカメラ付ディジタル携帯電話機の第５実施形態が実行することができる機能的な構成を示すブロック図。
【図２１】図２０のカメラ付ディジタル携帯電話機におけるスクロール制御処理を説明するフローチャート。
【図２２】本発明に係る情報処理装置に適用可能なカメラ付ディジタル携帯電話機の第６実施形態におけるスクロール制御方法の概念を説明する説明図。
【図２３】図５のカメラ付ディジタル携帯電話機における他のスクロール制御処理を説明するフローチャート。
【図２４】本発明に係る情報処理装置に適用可能なカメラ付ディジタル携帯電話機の第７実施形態が実行することができる機能的な構成を示すブロック図。
【図２５】図２４のカメラ付ディジタル携帯電話機におけるスクロール制御処理を説明するフローチャート。
【符号の説明】
【０２３５】
１…カメラ付ディジタル携帯電話機、２…触覚センサ、３…表示制御部、４…表示部、５…記憶装置、６…時間測定部、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０（２０−１および２０−２）…触覚センサ（第１触覚センサおよび第２触覚センサ）、２１…ＣＣＤカメラ、２２…サブディスプレイ、２３…静電タッチパッド、３１…主制御部、３２…電源回路、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４８…音楽制御部、５１…位置情報取得部、５２…始点・終点設定部、５３…スクロール条件設定部、５４…スクロール実行制御部、５５…スクロール方向設定部、５６…移動距離算出部、５７…スクロール速度設定部、５８…タイマ、５９…移動時間算出部、６０…平均移動速度算出部、６１…領域判定部、６２…圧力情報取得部、６３…押圧算出部、６４…触覚センサ判定部、６５…補助記憶部。
【図１】
2008046957.tif 000003
【図２】
2008046957.tif 000004
【図３】
2008046957.tif 000005
【図４】
2008046957.tif 000006
【図５】
2008046957.tif 000007
【図６】
2008046957.tif 000008
【図７】
2008046957.tif 000009
【図８】
2008046957.tif 000010
【図９】
2008046957.tif 000011
【図１０】
2008046957.tif 000012
【図１１】
2008046957.tif 000013
【図１２】
2008046957.tif 000014
【図１３】
2008046957.tif 000015
【図１４】
2008046957.tif 000016
【図１５】
2008046957.tif 000017
【図１６】
2008046957.tif 000018
【図１７】
2008046957.tif 000019
【図１８】
2008046957.tif 000020
【図１９】
2008046957.tif 000021
【図２０】
2008046957.tif 000022
【図２１】
2008046957.tif 000023
【図２２】
2008046957.tif 000024
【図２３】
2008046957.tif 000025
【図２４】
2008046957.tif 000026
【図２５】
2008046957.tif 000027